(57)【要約】      （修正有）【課題】一定量の毛髪を均等に保持して毛髪をカットするラインを正確に形成することができ、カットを容易に且つ素早く、また熟練した美容師や理容師でなくても行うことができるカットライン形成ヘアーグリップ具を提供する。【解決手段】毛髪のカットラインと側面視において同一ラインを形成する細長板状の表側整列板１を、長側面１ａの小口１ａ方向に一定間隔に複数並設して表面全体がカット面を形成するカット側毛髪整列手段２と、表側整列板１と同一幅で細長板状の裏側整列板３を、各表側整列板１の裏面側に所定間隔を置いて配設した頭皮側毛髪整列手段と、表側整列板間と裏側整列板間に整列された毛髪を、付勢された均等な力で保持する毛髪均等保持手段と、毛髪均等保持手段により保持された毛髪を、表側整列板１の表面と同一面でさらに保持するカットライン形成手段と、から成ることを特徴とするカットライン形成ヘアーグリップ具４０である。【選択図】図１
2018196646.tif 000002
【特許請求の範囲】
【請求項１】
毛髪のカットラインと側面視において同一ラインを形成する細長板状の表側整列板を、長側面の小口方向に一定間隔に複数並設して表面全体がカット面を形成するカット側毛髪整列手段と、
表側整列板と略同一幅で細長板状の裏側整列板を、各表側整列板の裏面側に所定間隔を置いて配設した頭皮側毛髪整列手段と、
カット側毛髪整列手段の表側整列板間と頭皮側毛髪整列手段の裏側整列板間に整列された毛髪を、付勢された均等な力で保持する毛髪均等保持手段と、
毛髪均等保持手段により保持された毛髪を、表側整列板の表面と同一面でさらに保持するカットライン形成手段と、から成ることを特徴とするカットライン形成ヘアーグリップ具。
【請求項２】
頭皮側毛髪整列手段における最も外側の裏側整列板の長側面の小口下部にガイド片を並設して成ることを特徴とするカットライン形成ヘアーグリップ具。
【請求項３】
毛髪均等保持手段は、表側整列板と裏側整列板との間を出入り自在に形成した毛髪保持板から成り、該毛髪保持板の中央部を付勢することで毛髪を均等な力で保持するように形成したことを特徴とする請求項１又は請求項２記載のカットライン形成ヘアーグリップ具。
【請求項４】
カットライン形成手段は、毛髪均等保持手段により毛髪が保持された後に、表側整列板の長側面の小口にカットライン板が圧接されて毛髪を保持するように形成されて成ることを特徴とする請求項１乃至請求項３のいずれかに記載のカットライン形成ヘアーグリップ具。
【請求項５】
さらに毛髪をカットする長さを測定するカット長さ計測手段を有することを特徴とする請求項１乃至請求項４のいずれかに記載のカットライン形成ヘアーグリップ具。 
【発明の詳細な説明】
【技術分野】
【０００１】
本発明は、毛髪を整列して保持することにより、毛髪をカットするカットラインを正確に形成することができる、カットライン形成ヘアーグリップ具に関する。
【背景技術】
【０００２】
従来、指の間に保持できる程度以上の長さを有する毛髪を所定のヘアースタイルになるように所定のカットラインで一定長さカットするに当たっては、一定量の毛髪を指と指との間に挟んで保持し、挟んだ毛髪をカットするラインを思い描きながらハサミやバリカンでカットしていた。しかし、そのカットラインやカット長さは、指と指との間に挟んだ毛髪の量の違いや、指の傾き等の違いによって指で毛髪を挟む毎に異なり、熟練した美容師や理容師でなければ、思い通りに、また正確に同一のカットラインによって髪をカットすることが出来なかった。
【０００３】
これに対して、近年、正確に様々な形にカットできる毛髪束ハサミ器が提案されている（特許文献１）。該毛髪束ハサミ器は、中空軸（１ａ）の横に、複数の中空軸（２ａ）と毛束測定ローラ軸（６）と、中空軸（７）を設け、中空軸（１ａ）の中に自由に出入するすべり軸（３ａ）を設け、そのすべり軸（３ａ）に可動接続し、支点（９）を中心として中空軸（２ａ）の中を自由に出入する複数の櫛（４ａ）と、中空軸（７）の中を自由に出入するローラ軸（８）を設け、中空軸（１ａ）の上端とすべり軸（３ａ）の上端の間にバネ（５ａ）を設けた毛髪束はさみ器である。
【先行技術文献】
【特許文献】
【０００４】
【特許文献１】特開２００４−２０２１６８号公報
【０００５】
しかしながら、特許文献１に記載の該毛髪束はさみ器は、櫛（４ａ）の一端がすべり軸（３ａ）に固着されてカンチレバー状になっているため、櫛（４ａ）の先端はすべり軸（３ａ）側に比べて中空軸（２ａ）を押さえる力が弱くなり、結果として櫛（４ａ）の全長に亘って均等な力で毛髪を挟むことが出来ないという課題がある。このため特に毛髪径が細い場合は櫛（４ａ）の先端部分では十分に毛髪を挟んで保持することが出来ず、毛髪が滑ってしまい、毛髪のカットラインが崩れてしまうという課題がある。
【０００６】
また、中空軸（２ａ）の中に櫛（４ａ）が自由に出入りする構成であるため、毛髪が保持されているラインは中空軸（２ａ）の外側ではなく、櫛（４ａ）の外側部分であって、わずかに中空軸（４ａ）の外側から内側に入ったところになり、実際にハサミやバリカンで中空軸（４ａ）の外側ラインに沿って毛髪をカットすると、正確なカットラインが出ない、という課題があり、目的とするヘアースタイルになるカットが出来ないという課題がある。
【発明の概要】
【発明が解決しようとする課題】
【０００７】
本発明が解決しようとする課題は、一定量の毛髪を均等に保持することができ、保持した毛髪をカットするラインを正確に形成することができ、結果として目的とするヘアースタイルになるカットを容易に且つ素早く、また熟練した美容師や理容師でなくても行うことができるカットライン形成ヘアーグリップ具を提供することにある。
【課題を解決するための手段】
【０００８】
上記課題を解決するため、請求項１記載の発明は、毛髪のカットラインと側面視において同一ラインを形成する細長板状の表側整列板を、長側面の小口方向に一定間隔に複数並設して表面全体がカット面を形成するカット側毛髪整列手段と、
表側整列板と略同一幅で細長板状の裏側整列板を、各表側整列板の裏面側に所定間隔を置いて配設した頭皮側毛髪整列手段と、
カット側毛髪整列手段の表側整列板間と頭皮側毛髪整列手段の裏側整列板間に整列された毛髪を、付勢された均等な力で保持する毛髪均等保持手段と、
毛髪均等保持手段により保持された毛髪を、表側整列板の表面と同一面でさらに保持するカットライン形成手段と、から成ることを特徴とするカットライン形成ヘアーグリップ具を提供する。
【０００９】
また請求項２記載の発明は、頭皮側毛髪整列手段における最も外側の裏側整列板の長側面の小口下部にガイド片を並設して成ることを特徴とするカットライン形成ヘアーグリップ具を提供する。
【００１０】
また請求項３記載の発明は、毛髪均等保持手段は、表側整列板と裏側整列板との間を出入り自在に形成した毛髪保持板から成り、該毛髪保持板の中央部を付勢することで毛髪を均等な力で保持するように形成したことを特徴とする請求項１又は請求項２記載のカットライン形成ヘアーグリップ具を提供する。
【００１１】
また請求項４記載の発明は、カットライン形成手段は、毛髪均等保持手段により毛髪が保持された後に、表側整列板の長側面の小口にカットライン板が圧接されて毛髪を保持するように形成されて成ることを特徴とする請求項１乃至請求項３のいずれかに記載のカットライン形成ヘアーグリップ具を提供する。
【００１２】
また請求項５記載の発明は、さらに毛髪をカットする長さを測定するカット長さ計測手段を有することを特徴とする請求項１乃至請求項４のいずれかに記載のカットライン形成ヘアーグリップ具を提供する。
【発明の効果】
【００１３】
本発明のカットライン形成ヘアーグリップ具は、一定量の毛髪を均等に保持することが出来る効果があり、また、保持した毛髪をカットするためのカットラインを、表側整列板の表面に正確に形成することが出来る効果がある。したがって、毛髪のカットは、表側整列板の表面に沿って行えばよく、結果として目的とするヘアースタイルになるカットを誰でもが容易に且つ素早く行うことが出来る効果がある。
【００１４】
特にカットラインは表側整列板の側面視のライン形状を変えることにより自在に設定することができ、例えば直線ラインでカットする場合は表側整列板の側面視は直線状とし、弓形にカットするのであれば表側整列板の側面視は該弓形に形成し、波形にカットするのであれば表側整列板の側面視は該波形に形成する。これにより複雑なカットラインから成る髪形を本発明のカットライン形成ヘアーグリップ具を使用すれば、容易にまた繰り返しカットすることができる効果がある。
【００１５】
また特に請求項２に記載のカットライン形成ヘアーグリップ具は、頭皮側毛髪整列手段の最も外側の裏側整列板の長側面の小口下部にガイド片を並設しているため、該ガイド片に合わせてもう一つの本願に係るカットライン形成ヘアーグリップ具を並行状態に密接させることができ、順次これを繰り返すことにより、隣接させるカットライン形成ヘアーグリップ具の数ぶん、カットラインを増やすことが出来る効果がある。したがって複数本のカットライン形成ヘアーグリップ具を順次並行状態で隣接させていくことにより、より広範囲の毛髪を同一の要領で所定の形状及び長さにカットできる効果がある。
【００１６】
また請求項３に記載のカットライン形成ヘアーグリップ具は、毛髪均等保持手段である毛髪保持板が表側整列板と裏側整列板との間を出入り自在に形成され、毛髪保持板は付勢により毛髪を均等な力で保持するため、毛髪の保持は付勢力だけで行うことができ、逆に言えば該付勢力によって本発明のカットライン形成ヘアーグリップ具は毛髪側に保持された状態となる。そうすると毛髪をカットする者の両手は自由になり、本発明のカットライン形成ヘアーグリップ具に整列されている毛髪の先端側を片手の指でさらに整えながら保持し、もう一方の手でハサミやバリカン等を操作して表側整列板の表面に沿って容易に毛髪をカットすることが出来る効果がある。
【００１７】
さらには、一の本発明のカットライン形成ヘアーグリップ具を頭皮に近接させて毛髪を整列させた状態で保持し、もう一つの本発明のカットライン形成ヘアーグリップ具をさらに該整列された毛髪を裏側整列板及び表側整列板によって整列させて使用すれば、毛髪の頭皮からの長さを同一にした上で該毛髪を整列することが出来るため、毛髪の整列精度が向上し、極めて正確にカットラインを形成した上で毛髪をカットすることができる効果がある。
【００１８】
また請求項４に記載のカットライン形成ヘアーグリップ具は、毛髪均等保持手段でまず毛髪を保持し、その後にさらに表側整列板の長側面の小口部分で毛髪がカットライン板によって圧接されて保持されるため、カットラインが表側整列板の表面に沿って正確に形成される効果があり、また毛髪が毛髪均等保持手段とカットライン板との少なくとも二ヵ所で保持されるため、表側整列板の表面のカットラインに沿ってハサミやバリカン等で毛髪をカットする際に、毛髪の整列状態を乱すような力が加わったとしても、毛髪が滑ってカットラインが崩れるようなことがない効果がある。
【００１９】
また特に請求項５に記載のカットライン形成ヘアーグリップ具は、毛髪をカットする長さを測定するカット長さ計測手段を有するため、顧客が望むカット長さを正確に測定した上でカットすることが出来る効果がある。
【図面の簡単な説明】
【００２０】
【図１】本出願に係るカットライン形成ヘアーグリップ具の一実施例の全体状態図である。
【図２】本出願に係るカットライン形成ヘアーグリップ具の一実施例の側面状態図である。
【図３】本出願に係るカットライン形成ヘアーグリップ具の他の実施例であって表面整列板及び裏側整列板の側面視が弓形のカットライン形成ヘアーグリップ具の側面状態図である。
【図４】本出願に係るカットライン形成ヘアーグリップ具の他の実施例であって表面整列板が弓形で裏側整列板の側面視は直線状に形成されたカットライン形成ヘアーグリップ具の側面状態図である。
【図５】本出願に係るカットライン形成ヘアーグリップ具の一実施例であって、表側整列板と表側整列板との間が毛髪均等保持手段とカットライン形成手段により閉じられている状態を示す平面動作状態図である。
【図６】本出願に係るカットライン形成ヘアーグリップ具の一実施例であって、表側整列板と表側整列板との間が開放された状態を示す平面動作状態図である。
【図７】本出願に係るカットライン形成ヘアーグリップ具の一実施例の毛髪均等保持手段とカットライン形成手段の関係を示す分解斜視図である。
【図８】本出願に係るカットライン形成ヘアーグリップ具の一実施例の毛髪均等保持手段とカットライン形成手段が組み合わされた全体状態斜視図である。
【図９】図１に示すカットライン形成ヘアーグリップ具にカット長さ計測手段を設けた請求項５に記載のカットライン形成ヘアーグリップ具の全体斜視図である。
【発明を実施するための形態】
【００２１】
次に本発明を実施するための形態について図１乃至図９に基づいて詳細に説明する。
【００２２】
図１及び図２において、１は図２に示すように側面視が直線状の細長板状の表側整列板であり、該表側整列板１の長側面１ａの小口１ｂ方向に一定間隔で四枚並設されている。側面視が直線状に形成されているのは毛髪のカットラインを直線としているためである。毛髪のカットラインが弓状に湾曲している場合は図３又は図４のように表側整列板１１、２１の側面視を弓状に湾曲して形成する。該四枚の表側整列板１で形成される表面全体が、カットしようとする毛髪のカット面を形成することに成り、毛髪が三列の表側整列板１間の裏側から表側に通されることにより整列されて、全体としてカット側毛髪整列手段２が形成されている。
【００２３】
表側整列板１の裏面側には、表側整列板１の幅と略同一幅で略同一長さの裏側整列板３が所定間隔を置いて表側整列板１と並行に配設され、全体として頭皮側毛髪整列手段４と成している。毛髪は該裏側整列板３の裏側より表側に通され、次に表側整列板１の裏側から表側に通されて、三列の裏側整列板３間及び表側整列板１間によって三列に整列されるように成っている。
【００２４】
表側整列板１と裏側整列板３との間には長四角板状の毛髪保持板５が出入り自在に形成され、該毛髪保持板５には図７に示すように四枚の四角板状の突起５ａが設けられている。該突起５ａには断面形状がＬ字状のカットライン板６の窓部６ａが篏合するように成っていて、該カットライン板６は突起５ａから外れないように形成され、図７において突起５ａは毛髪保持板５の側面側に突出している。
【００２５】
図３のように表側整列板１１が側面視弓状に形成されていて、裏側整列板１３が該表側整列板１１と同様に側面視弓状に形成されている場合は、毛髪保持板１５は表側整列板１１と裏側整列板１３の間に出入り自在と成るように同様の形状に湾曲して形成される。この場合上記毛髪保持板５に設けられている四角板状の突起５ａは、やや湾曲状に毛髪保持板１５から突出して突起１５ａとして形成され、該突起１５ａに篏合するカットライン板１６の窓部１６ａも同様にやや湾曲状に形成される。カットライン板１６は表側整列板１１の側面視弓状の形状及び毛髪保持板１５の湾曲に沿って弓状に形成される。
【００２６】
また図４のように表側整列板２１が側面視弓状に形成されていて、裏側整列板２３が側面視直線状の細長板状に形成されている場合は、毛髪保持板２５は表側整列板１１と裏側整列板１３の間に出入り自在と成るように半月状の板状に形成される。この場合上記毛髪保持板５に設けられている四角板状の突起５ａは、やや湾曲状に毛髪保持板２５から突出して突起２５ａとして形成され、該突起２５ａに篏合するカットライン板２６の窓部２６ａも同様にやや湾曲状に形成される。カットライン板２６は表側整列板１１の側面視弓状の形状及び毛髪保持板１５湾曲に沿って上記カットライン板１６と同様に弓状に形成される。
【００２７】
毛髪保持板５の裏側には毛髪を整列保持するための多数の櫛歯５ｂが突設され、該櫛歯５ｂは本実施例では二列設けられている。櫛歯５ｂの列数は一列では毛髪を保持する力が不十分な場合があり、二列以上設けることが好ましい。毛髪保持板５の形状は図１、図２、図５、図６で示される実施例では細長い長方形状であるが、カットラインが弓状に湾曲している場合は、上記のように、図３に示すように該湾曲に合わせて弓形状の毛髪保持板１５とするか、図４に示すように半月状の毛髪保持板２５とする。毛髪保持板を弓形状に形成して毛髪保持板１５とした場合は、二列の櫛歯１５ｂは該弓形に沿って並行に突設する。毛髪保持板を半月状に形成して毛髪保持板２５とした場合の櫛歯２５ｂは、少なくとも一列は弓状に湾曲した表側整列板２１に沿って突設し、一列は裏側整列板２３に沿って直線状に突設するのが、毛髪を確実に保持する上で好ましい。
【００２８】
毛髪保持板５の突起５ａに窓部６ａが篏合しているカットライン板６は、図８において該カットライン板６が下側方向に自由に移動するように形成されている。従って毛髪保持板５が図８の状態からさらに下方に移動する場合は該カットライン板６が下方に移動するが、毛髪保持板５が図８の状態から上方に移動する場合は、突起５ａが窓部６ａの上辺に当接するまではカットライン板６は動かず、突起５ａが窓部６ａの上辺に当接してさらに上方に移動するとカットライン板６が上方に移動するように成っている。逆に突起５ａが窓部６ａの上辺に当接している状態から、毛髪保持板５が下方に移動すると、突起５ａが窓部６ａの下辺に当接するまではカットライン板６は動かず、突起５ａが窓部６ａの下辺に当接してさらに下方に移動するとカットライン板６が下方に移動するように成っている。
【００２９】
弓形状の毛髪保持板１５とカットライン板１６、及び半月状の毛髪保持板２５とカットライン板２６の動作及び作用についても同様である。なお、櫛歯５ｂ、１５ｂ、２５ｂを有する毛髪保持板５、１５、２５や、カットライン板６、１６、２６は、直接毛髪を保持する部材であるため、着脱自在に形成して容易に消毒可能に形成しても良い。
【００３０】
毛髪保持板５の中央部には後述する圧縮コイルバネ８による付勢力が加えられるための連接板５ｃが突設され、該連接板５ｃには連接穴５ｄが穿設されている。該連接穴５ｄにはヘの字型の付勢力連接ロッド７のＬ字の先端が回動自在に連接されている。付勢力連接ロッド７の端部７ａには後述する圧縮コイルバネ８による付勢力が図５において下方から上方に加わっているため、軸７ｂを中心にして該付勢力連接ロッド７は反時計回りに回動するように付勢されていて、結果として毛髪保持板５の中央部の連接板５ｃ部分が下方に付勢され、毛髪保持板５の全長に亘って均等な力が下方向に加えられように形成されている。
【００３１】
毛髪保持板５の中央部を下方に付勢する機構は上記実施例に限らず、例えば薄板状のプラスチック片の先端で毛髪保持板５の中央部を下方に押圧するように付勢する機構を使用しても良い。該薄板状のプラスチック片を使用することで上記実施例の付勢力連接ロッド７のＬ字の先端や連接板５ｃ（及び連接穴５ｄ）が不要になって、これにより表側整列板１と裏側整列板３との所定間隔をより狭くコンパクトに形成することが可能になり、結果として本発明に係るカットライン形成ヘアーグリップ具を取り扱いやすい大きさと重量に形成することが可能になる。
【００３２】
図３のように弓形状の毛髪保持板１５においても同様に形成されるが、図３に示すように毛髪保持板１５の中央部には後述する圧縮コイルバネ８による付勢力が加えられるための連接板１５ｃが突設され、該連接板１５ｃには連接穴１５ｄが穿設されている。該連接穴１５ｄにはヘの字型の付勢力連接ロッド１７のＬ字の先端が回動自在に連接されている。付勢力連接ロッド１７の端部１７ａには後述する圧縮コイルバネ８による付勢力が加わっているため、軸１７ｂを中心にして該付勢力連接ロッド１７は図３において左端が手前側に飛び出るように付勢されていて、結果として毛髪保持板１５の中央部の連接板１５ｃ部分が同様に手前側に飛び出るように付勢され、毛髪保持板１５の全長に亘って均等な力が手前方向に加えられように形成されている。
【００３３】
また図４のように半月状の毛髪保持板２５についてもほぼ同様に形成され、図４に示すように毛髪保持板２５の中央部には後述する圧縮コイルバネ８による付勢力が加えられるための３つの連接板２５ｃが突設され、各連接板２５ｃには連接穴２５ｄが穿設されている。該連接穴２５ｄには平面視ヘの字型の付勢力連接ロッド２７のＬ字の先端が回動自在に連接されているが、該付勢力連接ロッド２７は半月状の毛髪保持版２５の中央部に均等に付勢力を伝えるために図４においては側面視の左側が三つに分岐した形状となっていて、他端の端部２７ａ側は一本にまとまった形に形成されている。該付勢力連接ロッド２７の端部２７ａには後述する圧縮コイルバネ８による付勢力が加わっているため、軸２７ｂを中心にして該付勢力連接ロッド２７は図４において左端が手前側に飛び出るように付勢されていて、結果として毛髪保持板２５の中央部の連接板２５ｃ部分が同様に手前側に飛び出るように付勢され、毛髪保持板２５の全長に亘って均等な力が手前方向に加えられように形成されている。
【００３４】
軸７ｂは図２及び図５に示すように表側整列板１と一体と成っている表板１ｃと、裏側整列板３と一体と成っている裏板３ａに固着されていて、付勢力連接ロッド７のヘの字の折り曲げ部分は回動自在に該軸７ｂに軸支されている。
【００３５】
弓形状の毛髪保持板１５における軸１７ｂの場合も同様に図３に示すように表側整列板１１と一体と成っている表板１１ｃと、裏側整列板１３と一体と成っている裏板１３ａに固着されていて、付勢力連接ロッド１７のヘの字の折り曲げ部分が回動自在に該軸１７ｂに軸支されている。
【００３６】
半月状の毛髪保持板２５における軸２７ｂの場合も同様に図４に示すように表側整列板２１と一体と成っている表板２１ｃと、裏側整列板２３と一体と成っている裏板２３ａに固着されていて、付勢力連接ロッド２７のヘの字の折り曲げ部分が回動自在に該軸２７ｂに軸支されている。
【００３７】
付勢力連接ロッド７の端部７ａは図５において圧縮コイルバネ８によって上方に付勢されている摺動バー９の空間部９ａに収納され、該摺動バー９のブロック９ｂの上縁部に端部７ａが当接して上方に付勢されることにより、毛髪保持板５が下方に付勢され、図７においてカットライン板６の短板部６ｂの裏面が図５における表側整列板１の上側の小口１ｂに当接している。このときカットライン板６と一体と成っている前記毛髪保持板５の櫛歯５ｂは表側整列板１と裏側整列板３の間に突出している状態と成っている。
【００３８】
付勢力連接ロッド１７及び付勢力連接ロッド２７については、その端部１７ａ又は端部２７ａが空間部９ａに収納されるように形成され、圧縮コイルバネ８によって付勢される部材が、毛髪保持板１５又は毛髪保持板２５、及びカットライン板１５又はカットライン板２６であってその動作及び作用は上記と同様であり、また下記の操作バー９の操作によって毛髪保持板１５又は毛髪保持板２５、及びカットライン板１６又はカットライン板２６が同様に作用して毛髪が保持される。
【００３９】
摺動バー９の上部にある操作ボタン９ｃは図５の上死点から図６のように圧縮コイルバネ８の付勢力に抗して下方向に押し込めるように成っていて、該操作ボタン９ｃを押し込むと摺動バー９全体が下側に摺動して圧縮コイルバネ８が圧縮され、ブロック９ｂが下方向に移動して付勢力連接ロッド７の端部７ａを下方向に押し下げる状態となり、結果として毛髪保持板５の中央部の連接板５ｃが持ち上げられて毛髪保持板５全体が図５の位置から図６の位置まで上方に移動し、図７においてカットライン板６の短板部６ｂの表面が図５における表側整列板１の下側の小口１ｂに当接して、同時に毛髪保持板５は表側整列板１と裏側整列板３の間に収納されて、表側整列板１間及び裏側整列板３間が図６のように開放されるように成っている。
【００４０】
この状態で、本発明のカットライン形成グリップ具４０を裏側整列板３側を頭皮側に、表側整列板１を外側に成るようにして毛髪に差し込めば、毛髪は表側整列板１間と裏側整列板３との間で整列され、次に摺動レバー９の９ｃを開放して圧縮コイルバネ８の付勢力により図５の状態に戻すことにより、整列された毛髪はまず毛髪保持板５と表側整列板１と裏側整列板３によって挟まれて保持された後、カットライン板６の短板部６ｂの裏面と表側整列板１の図５における下側の小口１ｂ面とに圧接状態で保持されることに成る。このカットライン板６と表側整列板１とで形成されたラインがカットラインと成る。このように上記毛髪保持板５、圧縮コイルバネ８、付勢力連接ロッド７、摺動バー９の構成によって毛髪均等保持手段１０と成し、これにカットライン板６を加えた構成によりカットライン形成手段２０と成している。
【００４１】
１８は、頭皮側毛髪整列手段４における最も外側にある裏側整列板３の長側面３ｂの小口３ｃ下部に並設されたガイド片であり、本実施例では平面視で細長板状に形成され該裏側整列板３より外側に突出して設けられている。該ガイド片は裏側整列板が図３に示すように側面視弓状であれば側面視弓状に形成され、またガイド片１８は平面視で細長板状でなくても、例えば櫛歯状等の他の形状であっても良い。
【００４２】
該ガイド片１８は、この上にもう一つの本発明に係るカットライン形成ヘアーグリップ具４０を同様の向きで並設状態にて載置させて使用するためのものであり、このように使用することで複数のカットライン形成ヘアーグリップ具４０の各表側整列板３で形成されるカット面は同一面と成り、毛髪をカットする際には、より広い範囲の毛髪を同一のカットラインで正確にカットすることが出来るように成る。 
【００４３】
次に図１に示した本発明のカットライン形成ヘアーグリップ具４０にカット長さ計測手段が設けられた請求項５に記載のカットライン形成ヘアーグリップ具４１について図９に基づいて説明する。
【００４４】
図９において、３０は長さの目盛りが付されたカット長さ計測手段３１である目盛りバーであり、表側整列板１及びこれと一体の表板１ｃの表面に垂直状に立設されている。該目盛りバー３０は取り外し自在に形成しているため、毛髪をカットする長さを測定する必要が生じた際に、所定位置に立設させることが出来る。
【００４５】
毛髪をカットする長さを測定する際には、毛髪を表側整列板１及び裏側整列板３の間に整列させて毛髪保持板５及びカットライン板６で毛髪を保持した後、毛髪を目盛りバー３０に沿って引張あげ、目盛りバー３０に付した目盛りにてその長さを測定する。カットする長さ部分でハサミやバリカン等で毛髪をカットすれば、正確にカットすべき長さで正確にカットすることが出来る。
【００４６】
本実施例ではカット長さ計測手段３１は目盛りバー３０を四本立設させているが、例えば所定のカット長さとなる部分にレーザー光を当てるような電気的な仕組みから成るカット長さ計測手段を設けても良い。
【符号の説明】
【００４７】
１  表側整列板
１ａ  長側面
１ｂ  小口
１ｃ  表板
２  カット側毛髪整列手段
３  裏側整列板
３ａ  裏板
３ｂ  長側面
３ｃ  小口
４  頭皮側毛髪整列手段
５  毛髪保持板
５ａ  突起
５ｂ  櫛歯
５ｃ  連接板
５ｄ  連接穴
６  カットライン板
６ａ  窓部
６ｂ  短板部
７  付勢力連接ロッド
７ａ  端部
７ｂ  軸
８  圧縮コイルバネ
９  摺動バー
９ａ  空間部
９ｂ  ブロック
９ｃ  操作ボタン
１０  毛髪均等保持手段
１１  表側整列板
１２  カット側毛髪整列手段
１３  裏側整列板
１４  頭皮側毛髪整列手段
１５  毛髪保持板
１５ａ  突起
１５ｂ  櫛歯
１５ｃ  連接板
１５ｄ  連接穴
１６  カットライン板
１６ａ  窓部
１７  付勢力連接ロッド
１７ａ  端部
１７ｂ  軸
１８  ガイド片
２０  カットライン形成手段
２１  表側整列板
２２  カット側毛髪整列手段
２３  裏側整列板
２４  頭皮側毛髪整列手段
２５  毛髪保持板
２５ａ  突起
２５ｂ  櫛歯
２５ｃ  連接板
２５ｄ  連接穴
２６  カットライン板
２６ａ  窓部
２７  付勢力連接ロッド
２７ａ  端部
２７ｂ  軸
３０  目盛りバー
３１  カット長さ計測手段
４０  カットライン形成ヘアーグリップ具
４１  カットライン形成ヘアーグリップ具
【図１】
2018196646.tif 000003
【図２】
2018196646.tif 000004
【図３】
2018196646.tif 000005
【図４】
2018196646.tif 000006
【図５】
2018196646.tif 000007
【図６】
2018196646.tif 000008
【図７】
2018196646.tif 000009
【図８】
2018196646.tif 000010
【図９】
2018196646.tif 000011
【手続補正書】
【提出日】平成29年11月24日(2017.11.24)
【手続補正１】
【補正対象書類名】特許請求の範囲
【補正対象項目名】全文
【補正方法】変更
【補正の内容】
【特許請求の範囲】
【請求項１】
毛髪をカットするラインと側面視において同一ラインを形成する細長板状の表側整列板を、該表側整列板の長側面方向に一定間隔に複数並設して表面全体が毛髪をカットする面を形成するカット側毛髪整列手段と、
表側整列板と略同一幅で略同一長さの細長板状の裏側整列板を、各表側整列板の裏面側に該表側整列板と並行に所定間隔を置いて配設した頭皮側毛髪整列手段と、
カット側毛髪整列手段の表側整列板間と頭皮側毛髪整列手段の裏側整列板間に整列された毛髪を、表側整列板と裏側整列板との間を出入り自在に形成した毛髪保持板の中央部を付勢し、毛髪保持板が移動して毛髪保持板に突設した櫛歯が隣接する表側整列板と裏側整列板との間に突出することで毛髪を均等な力で保持するように形成した毛髪均等保持手段であって、毛髪保持板と櫛歯とから成る毛髪均等保持手段と、
毛髪均等保持手段により保持された毛髪を、毛髪均等保持手段により毛髪が保持された後に、隣接する表側整列板の長側面にカットライン板を圧接して毛髪を保持するように形成することで表側整列板の表面と同一面で毛髪を保持するカットライン形成手段と、から成り、
毛髪保持板に突起を設け、カットライン板に窓部を設け、毛髪保持板の突起にカットライン板の窓部を篏合させて成り、毛髪保持板が移動すると毛髪保持板の突起がカットライン板の窓部の下辺に当接してカットライン板を移動させることによりカットライン板が隣接する表側整列板の長側面に圧接して毛髪を表側整列板の表面と同一面で保持するように成した、
ことを特徴とする毛髪をカットするラインを形成するヘアーグリップ具。
【請求項２】
頭皮側毛髪整列手段における最も外側の裏側整列板の長側面の下部に、該裏側整列板より外側に突出してガイド片を並設して成ることを特徴とする請求項１記載の毛髪をカットするラインを形成するヘアーグリップ具。
【請求項３】
さらに毛髪をカットする長さを測定するカット長さ計測手段を表側整列板の表面に設けたことを特徴とする請求項１又は請求項２に記載の毛髪をカットするラインを形成するヘアーグリップ具。
【手続補正３】
【補正対象書類名】明細書
【補正対象項目名】０００１
【補正方法】変更
【補正の内容】
【０００１】
本発明は、毛髪を整列して保持することにより、毛髪をカットするラインを正確に形成することができる、毛髪をカットするラインを形成するヘアーグリップ具に関する。
【手続補正４】
【補正対象書類名】明細書
【補正対象項目名】０００２
【補正方法】変更
【補正の内容】
【０００２】
従来、指の間に保持できる程度以上の長さを有する毛髪を所定のヘアースタイルになるように所定のカットするラインで一定長さカットするに当たっては、一定量の毛髪を指と指との間に挟んで保持し、挟んだ毛髪をカットするラインを思い描きながらハサミやバリカンでカットしていた。しかし、そのカットするラインやカット長さは、指と指との間に挟んだ毛髪の量の違いや、指の傾き等の違いによって指で毛髪を挟む毎に異なり、熟練した美容師や理容師でなければ、思い通りに、また正確に同一のカットするラインによって髪をカットすることが出来なかった。
【手続補正５】
【補正対象書類名】明細書
【補正対象項目名】０００３
【補正方法】変更
【補正の内容】
【０００３】
これに対して、近年、正確に様々な形にカットできる毛髪束はさみ器が提案されている（特許文献１）。該毛髪束はさみ器は、中空軸（１ａ）の横に、複数の中空軸（２ａ）と毛束測定ローラ軸（６）と、中空軸（７）を設け、中空軸（１ａ）の中に自由に出入するすべり軸（３ａ）を設け、そのすべり軸（３ａ）に可動接続し、支点（９）を中心として中空軸（２ａ）の中を自由に出入する複数の櫛（４ａ）と、中空軸（７）の中を自由に出入するローラ軸（８）を設け、中空軸（１ａ）の上端とすべり軸（３ａ）の上端の間にバネ（５ａ）を設けた毛髪束はさみ器である。
【手続補正６】
【補正対象書類名】明細書
【補正対象項目名】０００５
【補正方法】変更
【補正の内容】
【０００５】
しかしながら、特許文献１に記載の該毛髪束はさみ器は、櫛（４ａ）の一端がすべり軸（３ａ）に固着されてカンチレバー状になっているため、櫛（４ａ）の先端はすべり軸（３ａ）側に比べて中空軸（２ａ）を押さえる力が弱くなり、結果として櫛（４ａ）の全長に亘って均等な力で毛髪を挟むことが出来ないという課題がある。このため特に毛髪径が細い場合は櫛（４ａ）の先端部分では十分に毛髪を挟んで保持することが出来ず、毛髪が滑ってしまい、毛髪をカットするラインが崩れてしまうという課題がある。
【手続補正７】
【補正対象書類名】明細書
【補正対象項目名】０００７
【補正方法】変更
【補正の内容】
【０００７】
本発明が解決しようとする課題は、一定量の毛髪を均等に保持することができ、保持した毛髪をカットするラインを正確に形成することができ、結果として目的とするヘアースタイルになるカットを容易に且つ素早く、また熟練した美容師や理容師でなくても行うことができる毛髪をカットするラインを形成するヘアーグリップ具を提供することにある。
【手続補正８】
【補正対象書類名】明細書
【補正対象項目名】０００８
【補正方法】変更
【補正の内容】
【０００８】
上記課題を解決するため、請求項１記載の発明は、毛髪をカットするラインと側面視において同一ラインを形成する細長板状の表側整列板を、該表側整列板の長側面方向に一定間隔に複数並設して表面全体が毛髪をカットする面を形成するカット側毛髪整列手段と、
表側整列板と略同一幅で略同一長さの細長板状の裏側整列板を、各表側整列板の裏面側に該表側整列板と並行に所定間隔を置いて配設した頭皮側毛髪整列手段と、
カット側毛髪整列手段の表側整列板間と頭皮側毛髪整列手段の裏側整列板間に整列された毛髪を、表側整列板と裏側整列板との間を出入り自在に形成した毛髪保持板の中央部を付勢し、毛髪保持板が移動して毛髪保持板に突設した櫛歯が隣接する表側整列板と裏側整列板との間に突出することで毛髪を均等な力で保持するように形成した毛髪均等保持手段であって、毛髪保持板と櫛歯とから成る毛髪均等保持手段と、
毛髪均等保持手段により保持された毛髪を、毛髪均等保持手段により毛髪が保持された後に、隣接する表側整列板の長側面にカットライン板を圧接して毛髪を保持するように形成することで表側整列板の表面と同一面で毛髪を保持するカットライン形成手段と、から成り、
毛髪保持板に突起を設け、カットライン板に窓部を設け、毛髪保持板の突起にカットライン板の窓部を篏合させて成り、毛髪保持板が移動すると毛髪保持板の突起がカットライン板の窓部の下辺に当接してカットライン板を移動させることによりカットライン板が隣接する表側整列板の長側面に圧接して毛髪を表側整列板の表面と同一面で保持するように成した、
ことを特徴とする毛髪をカットするラインを形成するヘアーグリップ具を提供する。
【手続補正９】
【補正対象書類名】明細書
【補正対象項目名】０００９
【補正方法】変更
【補正の内容】
【０００９】
また請求項２記載の発明は、頭皮側毛髪整列手段における最も外側の裏側整列板の長側面の下部に、該裏側整列板より外側に突出してガイド片を並設して成ることを特徴とする請求項１記載の毛髪をカットするラインを形成するヘアーグリップ具を提供する。
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】変更
【補正の内容】
【００１２】
また請求項３記載の発明は、さらに毛髪をカットする長さを測定するカット長さ計測手段を表側整列板の表面に設けたことを特徴とする請求項１又は請求項２に記載の毛髪をカットするラインを形成するヘアーグリップ具を提供する。
【手続補正１３】
【補正対象書類名】明細書
【補正対象項目名】００１３
【補正方法】変更
【補正の内容】
【００１３】
本発明の毛髪をカットするラインを形成するヘアーグリップ具は、一定量の毛髪を均等に保持することが出来る効果があり、また、保持した毛髪をカットするためのラインを、表側整列板の表面に正確に形成することが出来る効果がある。したがって、毛髪のカットは、表側整列板の表面に沿って行えばよく、結果として目的とするヘアースタイルになるカットを誰でもが容易に且つ素早く行うことが出来る効果がある。
【手続補正１４】
【補正対象書類名】明細書
【補正対象項目名】００１４
【補正方法】変更
【補正の内容】
【００１４】
特に毛髪をカットするラインは表側整列板の側面視のライン形状を変えることにより自在に設定することができ、例えば直線ラインでカットする場合は表側整列板の側面視は直線状とし、弓形にカットするのであれば表側整列板の側面視は該弓形に形成し、波形にカットするのであれば表側整列板の側面視は該波形に形成する。これにより複雑なカットラインから成る髪形を本発明の毛髪をカットするラインを形成するヘアーグリップ具を使用すれば、容易にまた繰り返しカットすることができる効果がある。
【手続補正１５】
【補正対象書類名】明細書
【補正対象項目名】００１５
【補正方法】変更
【補正の内容】
【００１５】
また特に請求項２に記載の毛髪をカットするラインを形成するヘアーグリップ具は、頭皮側毛髪整列手段の最も外側の裏側整列板の長側面の下部にガイド片を並設しているため、該ガイド片に合わせてもう一つの本願に係る毛髪をカットするラインを形成するヘアーグリップ具を並行状態に密接させることができ、順次これを繰り返すことにより、隣接させる毛髪をカットするラインを形成するヘアーグリップ具の数ぶん、毛髪をカットするラインを増やすことが出来る効果がある。したがって複数本の毛髪をカットするラインを形成するヘアーグリップ具を順次並行状態で隣接させていくことにより、より広範囲の毛髪を同一の要領で所定の形状及び長さにカットできる効果がある。
【手続補正１６】
【補正対象書類名】明細書
【補正対象項目名】００１６
【補正方法】変更
【補正の内容】
【００１６】
また請求項１に記載の毛髪をカットするラインを形成するヘアーグリップ具は、毛髪均等保持手段である毛髪保持板が表側整列板と裏側整列板との間を出入り自在に形成され、毛髪保持板は付勢により毛髪を均等な力で保持するため、毛髪の保持は付勢力だけで行うことができ、逆に言えば該付勢力によって本発明の毛髪をカットするラインを形成するヘアーグリップ具は毛髪側に保持された状態となる。そうすると毛髪をカットする者の両手は自由になり、本発明の毛髪をカットするラインを形成するヘアーグリップ具に整列されている毛髪の先端側を片手の指でさらに整えながら保持し、もう一方の手でハサミやバリカン等を操作して表側整列板の表面に沿って容易に毛髪をカットすることが出来る効果がある。
【手続補正１７】
【補正対象書類名】明細書
【補正対象項目名】００１７
【補正方法】変更
【補正の内容】
【００１７】
さらには、一の本発明の毛髪をカットするラインを形成するヘアーグリップ具を頭皮に近接させて毛髪を整列させた状態で保持し、もう一つの本発明の毛髪をカットするラインを形成するヘアーグリップ具をさらに該整列された毛髪を裏側整列板及び表側整列板によって整列させて使用すれば、毛髪の頭皮からの長さを同一にした上で該毛髪を整列することが出来るため、毛髪の整列精度が向上し、極めて正確に毛髪をカットするラインを形成した上で毛髪をカットすることができる効果がある。
【手続補正１８】
【補正対象書類名】明細書
【補正対象項目名】００１８
【補正方法】変更
【補正の内容】
【００１８】
また請求項１に記載の毛髪をカットするラインを形成するヘアーグリップ具は、毛髪均等保持手段でまず毛髪を保持し、その後にさらに表側整列板の長側面部分で毛髪がカットライン板によって圧接されて保持されるため、毛髪をカットするラインが表側整列板の表面に沿って正確に形成される効果があり、また毛髪が毛髪均等保持手段とカットライン板との少なくとも二ヵ所で保持されるため、表側整列板の表面の毛髪をカットするラインに沿ってハサミやバリカン等で毛髪をカットする際に、毛髪の整列状態を乱すような力が加わったとしても、毛髪が滑って毛髪をカットするラインが崩れるようなことがない効果がある。
【手続補正１９】
【補正対象書類名】明細書
【補正対象項目名】００１９
【補正方法】変更
【補正の内容】
【００１９】
また特に請求項３に記載の毛髪をカットするラインを形成するヘアーグリップ具は、毛髪をカットする長さを測定するカット長さ計測手段を有するため、顧客が望むカット長さを正確に測定した上でカットすることが出来る効果がある。 
【手続補正２０】
【補正対象書類名】明細書
【補正対象項目名】００２０
【補正方法】変更
【補正の内容】
【００２０】
【図１】本出願に係る毛髪をカットするラインを形成するヘアーグリップ具の一実施例の全体状態図である。
【図２】本出願に係る毛髪をカットするラインを形成するヘアーグリップ具の一実施例の側面状態図である。
【図３】本出願に係る毛髪をカットするラインを形成するヘアーグリップ具の他の実施例であって表面整列板及び裏側整列板の側面視が弓形の毛髪をカットするラインを形成するヘアーグリップ具の側面状態図である。
【図４】本出願に係る毛髪をカットするラインを形成するヘアーグリップ具の他の実施例であって表面整列板が弓形で裏側整列板の側面視は直線状に形成された毛髪をカットするラインを形成するヘアーグリップ具の側面状態図である。
【図５】本出願に係る毛髪をカットするラインを形成するヘアーグリップ具の一実施例であって、表側整列板と表側整列板との間が毛髪均等保持手段とカットライン形成手段により閉じられている状態を示す平面動作状態図である。
【図６】本出願に係る毛髪をカットするラインを形成するヘアーグリップ具の一実施例であって、表側整列板と表側整列板との間が開放された状態を示す平面動作状態図である。
【図７】本出願に係る毛髪をカットするラインを形成するヘアーグリップ具の一実施例の毛髪均等保持手段とカットライン形成手段の関係を示す分解斜視図である。
【図８】本出願に係る毛髪をカットするラインを形成するヘアーグリップ具の一実施例の毛髪均等保持手段とカットライン形成手段が組み合わされた全体状態斜視図である。
【図９】図１に示す毛髪をカットするラインを形成するヘアーグリップ具にカット長さ計測手段を設けた請求項３に記載の毛髪をカットするラインを形成するヘアーグリップ具の全体斜視図である。
【手続補正２１】
【補正対象書類名】明細書
【補正対象項目名】００２２
【補正方法】変更
【補正の内容】
【００２２】
図１及び図２において、１は図２に示すように側面視が直線状の細長板状の表側整列板であり、該表側整列板１の長側面１ａの小口１ｂ方向に一定間隔で四枚並設されている。側面視が直線状に形成されているのは毛髪をカットするラインを直線としているためである。毛髪をカットするラインが弓状に湾曲している場合は図３又は図４のように表側整列板１１、２１の側面視を弓状に湾曲して形成する。該四枚の表側整列板１で形成される表面全体が、カットしようとする毛髪のカットする面を形成することに成り、毛髪が三列の表側整列板１間の裏側から表側に通されることにより整列されて、全体としてカット側毛髪整列手段２が形成されている。
【手続補正２２】
【補正対象書類名】明細書
【補正対象項目名】００２６
【補正方法】変更
【補正の内容】
【００２６】
また図４のように表側整列板２１が側面視弓状に形成されていて、裏側整列板２３が側面視直線状の細長板状に形成されている場合は、毛髪保持板２５は表側整列板２１と裏側整列板２３の間に出入り自在と成るように半月状の板状に形成される。この場合上記毛髪保持板５に設けられている四角板状の突起５ａは、やや湾曲状に毛髪保持板２５から突出して突起２５ａとして形成され、該突起２５ａに篏合するカットライン板２６の窓部２６ａも同様にやや湾曲状に形成される。カットライン板２６は表側整列板２１の側面視弓状の形状及び毛髪保持板２５の湾曲に沿って上記カットライン板１６と同様に弓状に形成される。
【手続補正２３】
【補正対象書類名】明細書
【補正対象項目名】００２７
【補正方法】変更
【補正の内容】
【００２７】
毛髪保持板５の裏側には毛髪を整列保持するための多数の櫛歯５ｂが突設され、該櫛歯５ｂは本実施例では二列設けられている。櫛歯５ｂの列数は一列では毛髪を保持する力が不十分な場合があり、二列以上設けることが好ましい。毛髪保持板５の形状は図１、図２、図５、図６で示される実施例では細長い長方形状であるが、毛髪をカットするラインが弓状に湾曲している場合は、上記のように、図３に示すように該湾曲に合わせて弓形状の毛髪保持板１５とするか、図４に示すように半月状の毛髪保持板２５とする。毛髪保持板を弓形状に形成して毛髪保持板１５とした場合は、二列の櫛歯１５ｂは該弓形に沿って並行に突設する。毛髪保持板を半月状に形成して毛髪保持板２５とした場合の櫛歯２５ｂは、少なくとも一列は弓状に湾曲した表側整列板２１に沿って突設し、一列は裏側整列板２３に沿って直線状に突設するのが、毛髪を確実に保持する上で好ましい。
【手続補正２４】
【補正対象書類名】明細書
【補正対象項目名】００３１
【補正方法】変更
【補正の内容】
【００３１】
毛髪保持板５の中央部を下方に付勢する機構は上記実施例に限らず、例えば薄板状のプラスチック片の先端で毛髪保持板５の中央部を下方に押圧するように付勢する機構を使用しても良い。該薄板状のプラスチック片を使用することで上記実施例の付勢力連接ロッド７のＬ字の先端や連接板５ｃ（及び連接穴５ｄ）が不要になって、これにより表側整列板１と裏側整列板３との所定間隔をより狭くコンパクトに形成することが可能になり、結果として本発明に係る毛髪をカットするラインを形成するヘアーグリップ具を取り扱いやすい大きさと重量に形成することが可能になる。
【手続補正２５】
【補正対象書類名】明細書
【補正対象項目名】００４０
【補正方法】変更
【補正の内容】
【００４０】
この状態で、本発明の毛髪をカットするラインを形成するヘアーグリップ具４０を裏側整列板３側を頭皮側に、表側整列板１を外側に成るようにして毛髪に差し込めば、毛髪は表側整列板１間と裏側整列板３との間で整列され、次に摺動レバー９の９ｃを開放して圧縮コイルバネ８の付勢力により図５の状態に戻すことにより、整列された毛髪はまず毛髪保持板５と表側整列板１と裏側整列板３によって挟まれて保持された後、カットライン板６の短板部６ｂの裏面と表側整列板１の図５における上側の小口１ｂ面とに圧接状態で保持されることに成る。このカットライン板６と表側整列板１とで形成されたラインが毛髪をカットするラインと成る。このように上記毛髪保持板５、圧縮コイルバネ８、付勢力連接ロッド７、摺動バー９の構成によって毛髪均等保持手段１０と成し、これにカットライン板６を加えた構成によりカットライン形成手段２０と成している。
【手続補正２６】
【補正対象書類名】明細書
【補正対象項目名】００４２
【補正方法】変更
【補正の内容】
【００４２】
該ガイド片１８は、この上にもう一つの本発明に係る毛髪をカットするラインを形成するヘアーグリップ具４０を同様の向きで並設状態にて載置させて使用するためのものであり、このように使用することで複数の毛髪をカットするラインを形成するヘアーグリップ具４０の各表側整列板３で形成される毛髪をカットする面は同一面と成り、毛髪をカットする際には、より広い範囲の毛髪を同一の毛髪をカットするラインで正確にカットすることが出来るように成る。
【手続補正２７】
【補正対象書類名】明細書
【補正対象項目名】００４３
【補正方法】変更
【補正の内容】
【００４３】
次に図１に示した本発明の毛髪をカットするラインを形成するヘアーグリップ具４０にカット長さ計測手段が設けられた請求項３に記載の毛髪をカットするラインを形成するヘアーグリップ具４１について図９に基づいて説明する。
【手続補正２８】
【補正対象書類名】明細書
【補正対象項目名】００４７
【補正方法】変更
【補正の内容】
【００４７】
１  表側整列板
１ａ  長側面
１ｂ  小口
１ｃ  表板
２  カット側毛髪整列手段
３  裏側整列板
３ａ  裏板
３ｂ  長側面
３ｃ  小口
４  頭皮側毛髪整列手段
５  毛髪保持板
５ａ  突起
５ｂ  櫛歯
５ｃ  連接板
５ｄ  連接穴
６  カットライン板
６ａ  窓部
６ｂ  短板部
７  付勢力連接ロッド
７ａ  端部
７ｂ  軸
８  圧縮コイルバネ
９  摺動バー
９ａ  空間部
９ｂ  ブロック
９ｃ  操作ボタン
１０  毛髪均等保持手段
１１  表側整列板
１２  カット側毛髪整列手段
１３  裏側整列板
１４  頭皮側毛髪整列手段
１５  毛髪保持板
１５ａ  突起
１５ｂ  櫛歯
１５ｃ  連接板
１５ｄ  連接穴
１６  カットライン板
１６ａ  窓部
１７  付勢力連接ロッド
１７ａ  端部
１７ｂ  軸
１８  ガイド片
２０  カットライン形成手段
２１  表側整列板
２２  カット側毛髪整列手段
２３  裏側整列板
２４  頭皮側毛髪整列手段
２５  毛髪保持板
２５ａ  突起
２５ｂ  櫛歯
２５ｃ  連接板
２５ｄ  連接穴
２６  カットライン板
２６ａ  窓部
２７  付勢力連接ロッド
２７ａ  端部
２７ｂ  軸
３０  目盛りバー
３１  カット長さ計測手段
４０  毛髪をカットするラインを形成するヘアーグリップ具
４１  毛髪をカットするラインを形成するヘアーグリップ具
【手続補正３０】
【補正対象書類名】図面
【補正対象項目名】図２
【補正方法】変更
【補正の内容】
【図２】
2018196646.tif 000012
【手続補正３１】
【補正対象書類名】図面
【補正対象項目名】図４
【補正方法】変更
【補正の内容】
【図４】
2018196646.tif 000013
【手続補正３２】
【補正対象書類名】図面
【補正対象項目名】図５
【補正方法】変更
【補正の内容】
【図５】
2018196646.tif 000014
【手続補正３３】
【補正対象書類名】図面
【補正対象項目名】図６
【補正方法】変更
【補正の内容】
【図６】
2018196646.tif 000015
【手続補正書】
【提出日】平成30年1月23日(2018.1.23)
【手続補正１】
【補正対象書類名】特許請求の範囲
【補正対象項目名】全文
【補正方法】変更
【補正の内容】
【特許請求の範囲】
【請求項１】
毛髪をカットするラインと側面視において同一ラインを形成する細長板状の表側整列板を、該表側整列板の長側面方向に一定間隔に複数並設して表面全体が毛髪をカットする面を形成するカット側毛髪整列手段と、
表側整列板と略同一幅で略同一長さの細長板状の裏側整列板を、各表側整列板の裏面側に該表側整列板と並行に所定間隔を置いて配設した頭皮側毛髪整列手段と、
カット側毛髪整列手段の表側整列板間と頭皮側毛髪整列手段の裏側整列板間に整列された毛髪を、表側整列板と裏側整列板との間を出入り自在に形成した毛髪保持板の中央部を付勢し、毛髪保持板が移動して毛髪保持板に突設した櫛歯が隣接する表側整列板と裏側整列板との間に突出することで毛髪を均等な力で保持するように形成した毛髪均等保持手段であって、毛髪保持板と櫛歯とから成る毛髪均等保持手段と、
毛髪均等保持手段により保持された毛髪を、毛髪均等保持手段により毛髪が保持された後に、隣接する表側整列板の長側面にカットライン板を圧接して毛髪を保持するように形成することで表側整列板の表面と同一面で毛髪を保持するカットライン形成手段と、から成り、
毛髪保持板に突起を設け、カットライン板に窓部を設け、毛髪保持板の突起にカットライン板の窓部を篏合させて成り、毛髪保持板が移動すると毛髪保持板の突起がカットライン板の窓部の隣接する表側整列板の長側面側の一辺に当接してカットライン板を移動させることによりカットライン板が隣接する表側整列板の長側面に圧接して毛髪を表側整列板の表面と同一面で保持するように成した、
ことを特徴とする毛髪をカットするラインを形成するヘアーグリップ具。
【請求項２】
頭皮側毛髪整列手段における最も外側の裏側整列板の長側面の下部に、該裏側整列板より外側に突出してガイド片を並設して成ることを特徴とする請求項１記載の毛髪をカットするラインを形成するヘアーグリップ具。
【請求項３】
さらに毛髪をカットする長さを測定するカット長さ計測手段を表側整列板の表面に設けたことを特徴とする請求項１又は請求項２に記載の毛髪をカットするラインを形成するヘアーグリップ具。
【手続補正２】
【補正対象書類名】明細書
【補正対象項目名】０００８
【補正方法】変更
【補正の内容】
【０００８】
上記課題を解決するため、請求項１記載の発明は、毛髪をカットするラインと側面視において同一ラインを形成する細長板状の表側整列板を、該表側整列板の長側面方向に一定間隔に複数並設して表面全体が毛髪をカットする面を形成するカット側毛髪整列手段と、
表側整列板と略同一幅で略同一長さの細長板状の裏側整列板を、各表側整列板の裏面側に該表側整列板と並行に所定間隔を置いて配設した頭皮側毛髪整列手段と、
カット側毛髪整列手段の表側整列板間と頭皮側毛髪整列手段の裏側整列板間に整列された毛髪を、表側整列板と裏側整列板との間を出入り自在に形成した毛髪保持板の中央部を付勢し、毛髪保持板が移動して毛髪保持板に突設した櫛歯が隣接する表側整列板と裏側整列板との間に突出することで毛髪を均等な力で保持するように形成した毛髪均等保持手段であって、毛髪保持板と櫛歯とから成る毛髪均等保持手段と、
毛髪均等保持手段により保持された毛髪を、毛髪均等保持手段により毛髪が保持された後に、隣接する表側整列板の長側面にカットライン板を圧接して毛髪を保持するように形成することで表側整列板の表面と同一面で毛髪を保持するカットライン形成手段と、から成り、
毛髪保持板に突起を設け、カットライン板に窓部を設け、毛髪保持板の突起にカットライン板の窓部を篏合させて成り、毛髪保持板が移動すると毛髪保持板の突起がカットライン板の窓部の隣接する表側整列板の長側面側の一辺に当接してカットライン板を移動させることによりカットライン板が隣接する表側整列板の長側面に圧接して毛髪を表側整列板の表面と同一面で保持するように成した、
ことを特徴とする毛髪をカットするラインを形成するヘアーグリップ具を提供する。